(57)【特許請求の範囲】
【請求項１】
冷却対象である対象物を含むまたは含まない複数のブロックを含み、前記複数のブロックがブロック毎に区分けされており、前記ブロックの区画の間のエリアに位置して前記ブロックの側面の形成方向に並ぶ位置から支軸を中心に前記ブロック内の左右の領域に回動するように形成され、前記区分けされた領域を流れる空気の流れを、前記対象物の有無に応じて、変更する複数の変更手段を備え、
前記変更手段は、
一方の前記ブロックに冷却すべき前記対象物が無い場合には、他方の前記ブロックの前記対象物を冷却可能なように、一方の前記ブロックを流れる空気の流れを、他方の前記ブロックにも流れるように変更する
サーバ装置。
【請求項２】
前記変更手段は、
一方の前記ブロックと、該ブロックと近接する他方の前記ブロックとの間に設けられており、一方の前記ブロックに冷却すべき前記対象物が無い場合には、他方の前記ブロックの前記対象物を冷却可能なように、配置が変更されることによって、空気の流れを変更する請求項１に記載のサーバ装置。
【請求項３】
前記ブロックに含まれる前記対象物を冷却する冷却装置をさらに備え
前記変更手段は、
前記冷却装置が動作することによって流れる空気の流れを、前記対象物の有無に応じて変更する
請求項１または請求項２に記載のサーバ装置。
【請求項４】
前記対象物の温度を検出すると共に、その検出した温度に関する温度情報を管理する管理手段と、
前記管理手段から得た前記温度情報に基づいて、前記変更手段を制御する制御手段と、
をさらに備える
請求項１乃至請求項３の何れかに記載のサーバ装置。
【請求項５】
前記制御手段は、
前記ブロックに含まれる前記対象物の構成毎に、その対象物の温度と、空気の流れと、その流れの方向とに基づいて、最適な前記変更手段の配置位置を求め、求めた配置位置を示す位置情報と前記対象物の構成とに基づいて、前記変更手段の配置を変更する
請求項４に記載のサーバ装置。
【請求項６】
前記制御手段は、
前記位置情報と、前記対象物の構成と、前記温度情報とに基づいて、前記変更手段の配置を変更する
請求項５に記載のサーバ装置。
【請求項７】
前記対象物の温度を検出すると共に、その検出した温度に関する温度情報を管理する管理手段と、
前記管理手段から得た前記温度情報に基づいて、前記変更手段を制御する制御手段と、
をさらに備えたサーバ装置であって、
前記制御手段は、
前記管理手段から得た温度情報に基づいて、前記冷却装置の動作を制御する
請求項３に記載のサーバ装置。
【請求項８】
前記対象物の温度を検出すると共に、その検出した温度に関する温度情報を管理する管理手段と、
前記管理手段から得た前記温度情報に基づいて、前記変更手段を制御する制御手段と、
をさらに備えたサーバ装置であって、
前記冷却装置は、ファンを有し、
前記制御手段は、
前記ファンの回転数を記憶すると共に、その記憶した回転数の累積数が所定の閾値を超えた場合に、冷却装置に関する情報を、ユーザが識別可能な態様によって提示する
請求項３に記載のサーバ装置。
【請求項９】
情報処理装置によって、
冷却対象である対象物を含むまたは含まない複数のブロックを含み、前記複数のブロックがブロック毎に区分けされており、前記ブロックの区画の間のエリアに位置して前記ブロックの側面の形成方向に並ぶ位置から支軸を中心に前記ブロック内の左右の領域に回動するように形成された複数の変更手段を用いて、前記区分けされた領域を流れる空気の流れを、前記対象物の有無に応じて変更し、
一方の前記ブロックに冷却すべき前記対象物が無い場合には、前記複数の変更手段を用いて、他方の前記ブロックの前記対象物を冷却可能なように、一方の前記ブロックを流れる空気の流れを、他方の前記ブロックにも流れるように変更する、
冷却方法。
【発明の詳細な説明】
【技術分野】
【０００１】
本発明は、自装置に実装された冷却対象である対象物を冷却する技術分野に関する。
【背景技術】
【０００２】
近年、コンピュータやサーバ装置などの様々な機器のうち、特にサーバ装置の性能は、著しく向上している。それに伴い、例えば、サーバ装置を構成するプロセッサ、メモリ及びＩ／Ｏ（Ｉｎｐｕｔ／Ｏｕｔｐｕｔ）カードなどの電子機器から発せられる熱量は増加している。そのため、安定した動作を保つことを目的として、サーバ装置では、これらの電子機器から発せられる大きな熱量を、外部へ速やかに放出する冷却システムが非常に重要である。
【０００３】
ここで、本願出願に先立って存在する関連技術としては、例えば、特許文献１がある。
【０００４】
特許文献１は、冷却装置を備えるディスクアレイ装置に関する技術を開示する。ディスクアレイ装置は、複数のディスク装置を備える。また、これらディスク装置の近傍には、冷却作用を付与可能な冷却装置が配置されている。
【０００５】
より具体的に、当該ディスクアレイ装置は、ディスク装置の稼働状況に基づいて、ディスク装置の温度を推定する。また、ディスクアレイ装置は、推定した温度に基づいて、ディスク装置に対する冷却の要否を判定する。ディスクアレイ装置は、冷却が不要であると判断した場合に、ディスク装置の冷却を停止する。または、ディスクアレイ装置は、冷却装置の状態を、当該不要と判断されたディスク装置と隣接するディスク装置に対して、冷却作用を付与することが可能な状態に切り替える。即ち、当該冷却装置は、隣接するディスク装置を冷却する。これにより、ディスクアレイ装置は、ディスク装置毎に、そのディスク装置に対する冷却の必要性に応じて、適切な冷却を施すことができる。
【先行技術文献】
【特許文献】
【０００６】
【特許文献１】特開平１０−２８３１２５号公報
【発明の概要】
【発明が解決しようとする課題】
【０００７】
ところで、サーバ装置において、採用されている冷却方法は、例えば、サーバ装置に搭載されたファンモジュールを用いる空冷式が主流である。ここで、空冷式とは、例えば、外気を、ファンモジュールを用いてサーバ装置内に流すことによって各電子機器を冷却する手法である。
【０００８】
より具体的に、当該冷却方法において、電子機器には温度センサを設ける。また、ファンモジュールには、ファンコントローラを設ける。これにより、温度センサを用いて得た電子機器の温度に応じて、ファンモジュールを構成するファンの回転数は制御される。即ち、サーバ装置は、サーバ装置単位または複数の電子機器を含むブロック単位に、ファンによって冷却される。
【０００９】
同様に、特許文献１に開示されたディスクアレイ装置には、ディスク装置毎に、そられディスク装置に対して冷却装置が設けられている。即ち、自装置内に発生する熱に関しては、ディスク装置毎に冷却装置が設けられていため問題ない。
【００１０】
しかしながら、例えば、サーバ装置では、消費電力や騒音の低減などを目的として、電子機器毎に冷却装置を設けない構成を採用する場合もある。そのため、当該冷却方法では、適用できるサーバ装置が限られてしまう虞がある。
【００１１】
ここで、より具体的に、以下の説明では、当該冷却方法を採用した場合の問題点について、図１２及び図１３を参照して説明する。
【００１２】
以下の説明では、説明の便宜上、一例として、ファンモジュールを構成する複数のファンが一律な回転数によって回転することとする。
【００１３】
図１２は、構成可能な最大のシステム構成によって構成されたサーバ装置１０１を例示的に説明するブロック図である。図１３は、図１２に示すサーバ装置１０１に比べ、電子機器の少ないシステム構成によって構成されたサーバ装置１０２を例示的に説明するブロック図である。
【００１４】
図１２及び図１３は、例えば、ラック型のサーバ装置の本体上面から見た図である。図１２及び図１３において、サーバ装置（サーバ装置１０１及びサーバ装置１０２）は、例えば、区分けされた複数のブロック（第１ブロック１乃至第４ブロック）によって構成されている。また、各ブロックは、例えば、ファンモジュール１０３、プロセッサ１０４、メモリ１０５及びＩ／Ｏ（Ｉｎｐｕｔ／Ｏｕｔｐｕｔ）カード１０６によって構成されている。ファンモジュール１０３は、例えば、１つ以上のファン１０７によって構成されている。ファン１０７は、ブロック単位に、例えば、プロセッサ１０４、メモリ１０５及びＩ／Ｏカード１０６の順に冷却する。即ち、ファン１０７は、筐体外部から内部に外気を流入させることができる。
【００１５】
図１２及び図１３に示す第１ブロックは、プロセッサ１０４、メモリ１０５及びＩ／Ｏカード１０６が搭載されている。その一方で、図１３において、第３ブロック及び第４ブロックには、電子機器が搭載されていない。また、第２ブロックは、プロセッサ１０４及びメモリ１０５が搭載されていない。このように、電子機器の構成が異なる場合であっても、上述した冷却方法では、その構成に応じて、ファン１０７の回転数を下げることができない。即ち、当該冷却方法は、第１ブロックに示すように、実装密度の変わらないブロックがある場合に、第２ブロック乃至第４ブロックを冷却するファン１０７の回転数を下げることができない。
【００１６】
そのため、第３ブロック及び第４ブロックに電子機器が搭載されていない場合であっても、第３ブロック及び第４ブロックを冷却するファン１０７は、一律な回転数によって動作することとなる。その結果、累積回転数に応じて、定期的に交換されるファンモジュール１０３は、電子機器の少ないシステム構成であっても、最大のシステム構成と同様に交換される虞がある。
【００１７】
本発明は、自装置に実装された冷却対象である対象物の構成が異なる場合であっても、その対象物を効率よく冷却することが可能なサーバ装置等を提供することを主たる目的とする。
【課題を解決するための手段】
【００１８】
上記の課題を達成すべく、本発明の一態様に係るサーバ装置は、以下の構成を備えることを特徴とする。
【００１９】
即ち、本発明の一態様に係るサーバ装置は、
冷却対象である対象物を含むブロック毎に区分けされており、その区分けされた領域を流れる空気の流れを、前記対象物の有無に応じて、変更することが可能な変更手段を備え
前記変更手段は、
一方の前記ブロックに冷却すべき前記対象物が無い場合には、他方の前記ブロックの前記対象物を冷却可能なように、一方の前記ブロックを流れる空気の流れを、他方の前記ブロックにも流れるように変更する。
【００２０】
また、同目的を達成すべく、本発明の一態様に係るサーバ装置の冷却方法は、以下の構成を備えることを特徴とする。
【００２１】
即ち、本発明の一態様に係るサーバ装置の冷却方法は、
情報処理装置によって、
冷却対象である対象物を含むブロック毎に区分けされており、その区分けされた領域を流れる空気の流れを、前記対象物の有無に応じて変更し、
一方の前記ブロックに冷却すべき前記対象物が無い場合には、他方の前記ブロックの前記対象物を冷却可能なように、一方の前記ブロックを流れる空気の流れを、他方の前記ブロックにも流れるように変更する。
【発明の効果】
【００２２】
本発明によれば、自装置に実装された冷却対象である対象物の構成が異なる場合であっても、その対象物を効率よく冷却することが可能なサーバ装置等を提供することができる。
【図面の簡単な説明】
【００２３】
【図１】本発明の第１の実施形態におけるサーバ装置の構成を示すブロック図である。
【図２】本発明の第１の実施形態における風向変更部と側面とを示す斜視図である。
【図３】本発明の第１の実施形態における風向変更部の動作態様を例示する図である。
【図４】本発明の第１の実施形態におけるサーバ装置の構成と、そのサーバ装置を流れる空気の流れとを例示するブロック図である。
【図５】本発明の第１の実施形態における風向変更部によってブロック内を流れる空気の流れを変更する態様を例示する図である。
【図６】本発明の第２の実施形態におけるサーバ装置の構成を示すブロック図である。
【図７】本発明の第２の実施形態における位置情報を具体的に例示する図である。
【図８】本発明の第２の実施形態におけるサーバ装置の構成と、そのサーバ装置を流れる空気の流れとを例示するブロック図である。
【図９】本発明の第２の実施形態における風向変更部によって、ブロック内を流れる空気の流れを変更する態様を例示する図である。
【図１０】本発明の第２の実施形態におけるサーバ装置が自装置に構成に応じて、風向変更部における配置の変更を行う動作を示すフローチャートである。
【図１１】本発明の第２の実施形態におけるサーバ装置が温度情報に応じて、ファンモジュールを制御する動作を示すフローチャートである。
【図１２】構成可能な最大のシステム構成によって構成されたサーバ装置を例示的に説明するブロック図である。
【図１３】図１２に示すサーバ装置に比べ、電子機器の少ないシステム構成によって構成されたサーバ装置を例示的に説明するブロック図である。
【発明を実施するための形態】
【００２４】
以下、本発明の実施形態について図面を参照して詳細に説明する。以下の説明では、説明の便宜上、各図面に併記した３次元（Ｘ、Ｙ、Ｚ）座標軸を用いて説明する。
【００２５】
＜第１の実施形態＞
図１は、本発明の第１の実施形態におけるサーバ装置１の構成を示すブロック図である。即ち、図１は、例えば、ラック型に形成されたサーバ装置１の本体上面図である。
【００２６】
図１において、サーバ装置１は、電子機器（対象物）、風向変更部２を備える。ここで、電子機器とは、例えば、プロセッサ１０４、メモリ１０５、Ｉ／Ｏ（Ｉｎｐｕｔ／Ｏｕｔｐｕｔ）カード１０６などである。
【００２７】
本実施形態において、以下の説明では、図１に示すように、サーバ装置１は、１つ以上の電子機器によって構成されたブロック毎に区分けされていることとする。即ち、サーバ装置１は、１つ以上の電子機器を含む区画毎に分けられていることとする。そして、プロセッサ１０４近傍の＋（プラス）Ｚ方向の位置には、当該区画毎にサーバ装置１を冷却する冷却装置であるファン（不図示、例えば、図６に示すファン１０７）が設けられていることとする。これらのファンは、サーバ装置１の外部から内部に外気を流入させる役目を担うこととする。即ち、サーバ装置１の内部には、ファンが動作することによって、例えば、＋Ｚ方向から−（マイナス）Ｚ方向に向かって空気（風）の流れが発生することとする。
【００２８】
そして、本実施形態において、当該ファンによる風の流れを実現することを目的として、サーバ装置１の本体上面には、不図示の天板（上蓋）を有することとする。或いは、サーバ装置１は、天板を有する構成ではなく、例えば、サーバラック（不図示）に実装された状態において、空間を仕切るＸ−Ｚ平面に平行または略平行な面によって、当該ファンが起こす風が流れる構成であってもよい（以下、各実施形態においても同様）。
【００２９】
尚、本実施形態において、上述したファンは、回転数を個別に制御されるのではなく、一括して回転数を制御されることとする。
【００３０】
風向変更部２は、電子機器の有無に応じて、ブロック毎に区分けされた領域を流れる空気の流れを変更することができる。即ち、風向変更部２は、複数のブロックのうち、一方のブロックに冷却すべき電子機器が無い場合には、一方のブロックと近接する他方のブロックの電子機器を冷却可能なように、一方のブロックを流れる空気を、他方のブロックにも流れるように流れを変更することができる。
【００３１】
以下の説明では、より具体的に、風向変更部２と側面３とについて、図１乃至図３を参照して説明する。
【００３２】
図２は、本発明の第１の実施形態における風向変更部２と側面３とを示す斜視図である。図３は、本発明の第１の実施形態における風向変更部２の動作態様を例示する図である。
【００３３】
図１において、近接するブロック間には、風向変更部２と側面３とが形成されている。
【００３４】
より具体的に、風向変更部２と側面３とは、例えば、第１ブロックと、その第１ブロックと近接する第２ブロックとの間に設けられている。即ち、図２に示すように、風向変更部２と側面３とは、＋（プラス）Ｙ方向に立設するように形成されている。
【００３５】
図１において、風向変更部２は、短手方向（短方向；紙面左右方向）において、側面３における短手方向と平行または略平行に設けられている。また、風向変更部２は、長手方向（長方向；紙面上下方向）において、長手方向の側面３が±（プラスマイナス）Ｚ方向に延設されている。風向変更部２は、例えば、冷却すべき電子機器に対して、より空気が流れるよう近傍の電子機器間のエリアに位置するよう形成されている。
【００３６】
より具体的に、図１において、風向変更部２は、プロセッサ１０４とメモリ１０５との間のエリアに位置するように形成されている。また、例えば、風向変更部２は、メモリ１０５とＩ／Ｏカード１０６との間のエリアに位置するように形成されている。
【００３７】
また、風向変更部２と側面３とは、サーバ装置１が有するマザーボード及びサーバ装置１の筐体の何れかに形成されている。
【００３８】
尚、説明の便宜上、以下の説明では、平行または略平行を、単に「平行」と略記する。また、以下の説明では、変更部４と変更部５とを総称して、単に、「変更部」と称する（以下、各実施形態においても同様）。
【００３９】
風向変更部２は、図２に示すように、２つの変更部によって構成されている。即ち、風向変更部２は、第１の変更部である変更部４と、第２の変更部である変更部５とを備える。変更部（変更部４及び変更部５）は、例えば、板状に形成されている。また、変更部は、回動部６を備える。
【００４０】
図２において、変更部４は、長手方向（±Ｚ方向）において、変更部５における長手方向と平行に設けられている。また、回動部６は、不図示の支軸を中心に回動可能に設けられている。換言すると、変更部は、支軸を中心に回動部６が回動することによって、電子機器を冷却可能なように配置される角度（配置される位置）を変更することができる。その結果、風向変更部２は、ブロックを流れる空気の流れを変更することができる。
【００４１】
より具体的に、変更部は、図３に示すように、回動部６の軸芯を中心に矢印方向（紙面左右方向）に回動する。また、変更部は、例えば、ステッピングモータによって回動するよう制御されることにより配置を変更される構成を採用してもよい。或いは、変更部は、管理者によって配置を変更される構成を採用してもよい。尚、変更部を含む風向変更部２の動作については、第２の実施形態において詳細に後述する。
【００４２】
配置される位置（配置位置）としては、例えば、ブロックに含まれる電子機器の構成毎に、予めシミュレーションを行うことによって、最適な風向の得られる角度及び回動方向を求めてもよい。尚、配置位置については、第２の実施形態において詳細に後述する。
【００４３】
また、配置位置は、図３に示す位置に限定されない。即ち、変更部は、回動することによって、側面３と当接する位置まで回動可能である。
【００４４】
上述した装置構成を有する本実施形態におけるサーバ装置１の物理的な動作について、図４及び図５を参照してより具体的に説明する。
【００４５】
図４は、本発明の第１の実施形態におけるサーバ装置１の構成と、そのサーバ装置１を流れる空気の流れとを例示するブロック図である。図５は、本発明の第１の実施形態における風向変更部２によって、ブロック内を流れる空気の流れを変更する態様を例示する図である。
【００４６】
以下の説明では、一例として、図４に示すように、第３ブロック及び第４ブロックには、電子機器が搭載されていないこととする。また、第１ブロックは、プロセッサ１０４、メモリ１０５−１及び１０５−２、Ｉ／Ｏカード１０６−１及び１０６−２が搭載されていることとする。第２ブロックは、メモリ１０５−３、Ｉ／Ｏカード１０６−３及び１０６−４が搭載されていることとする。以下の説明では、図４の矢印によって表すように、＋Ｚ方向から−Ｚ方向に向かって空気が流れることとする。また、以下の説明では、プロセッサ１０４を冷却可能なように、紙面上側に位置する風向変更部２は、変更部４−１だけで構成することとする。
【００４７】
尚、説明の便宜上、上述した構成を例に説明するが、本実施形態を例に説明する本発明は、前述した構成には限定されない（以下の実施形態においても同様）。
【００４８】
風向変更部２は、予め求められた配置位置に基づいて、図５に示す配置に変更される。変更後、例えば、サーバ装置１は、稼働を開始させられることとする。
【００４９】
ここでは、より具体的に、風向変更部２の動作について、図５を参照して説明する。以下の説明では、説明の便宜上、第１の変更部４、第２の変更部４及び第３の変更部４を、順に、変更部４−１、変更部４−２及び変更部４−３と称する。また、以下の説明では、第１の変更部５、第２の変更部５及び第３の変更部５を、順に、変更部５−１、変更部５−２及び変更部５−３と称する（以下の実施形態においても同様）。
【００５０】
図５において、例えば、第２ブロックは、プロセッサを含まない構成である。そのため、変更部４−１は、回動部６の軸芯を中心に＋Ｘ方向に回動させられる。即ち、変更部４−１は、プロセッサ１０４を冷却可能なように、第２ブロックを流れる空気の流れを変更する。これによって、第２ブロックに流れる空気は、プロセッサ１０４と、メモリ１０５−１及び１０５−２とに向かって流れることとなる。即ち、プロセッサ１０４に対して流れる風量は、増加することとなる。そのため、サーバ装置１は、より効率的にプロセッサ１０４を冷却することができる。
【００５１】
次に、例えば、変更部５−１は、回動部６の軸芯を中心に−（マイナス）Ｘ方向に回動させられる。変更部５−１は、第１ブロックを流れる空気の流れを変更する。即ち、変更部５−１は、プロセッサ１０４を冷却することによって、暖められた空気をブロック外に流れるように、配置される位置を変更する。これによって、変更部５−１は、当該暖められた空気を外部に排出することができる。
【００５２】
変更部４−２は、回動部６の軸芯を中心に＋Ｘ方向に回動させられる。また、変更部５−２は、回動部６の軸芯を中心に−Ｘ方向に回動させられる。その結果、変更部４−２における長手方向の端部と、変更部５−２における長手方向の端部とは、近接する。即ち、変更部４−２と、変更部５−２とは、互いの長手方向の端部が近接するよう配置される位置を変更する。
【００５３】
同様に、変更部４−３は、回動部６の軸芯を中心に＋Ｘ方向に回動させられる。また、変更部５−３は、回動部６の軸芯を中心に−Ｘ方向に回動させられる。
【００５４】
これによって、変更部４−２及び変更部５−２と、変更部４−３及び変更部５−３とは、メモリ１０５−１及び１０５−２を冷却可能なように、第２ブロックを流れる空気の流れを変更する。その結果、第２ブロックに流れる空気は、メモリ１０５−１及び１０５−２に向かって流れることとなる。即ち、メモリ１０５−１及び１０５−２は、プロセッサによって暖められた空気ではなく、冷たい空気によって冷却されることとなる。そのため、サーバ装置１は、より効率的にメモリ１０５−１及び１０５−２を冷却することができる。
【００５５】
尚、説明の便宜上、一例として、上述では、変更部４−１乃至変更部４−３と、変更部５−１乃至変更部５−３とに注目して説明したが他の風向変更部２の動作も同様である。そのため、重複する説明は、省略する。
【００５６】
このように本実施の形態に係るサーバ装置１によれば、自装置に実装された冷却対象である対象物の構成が異なる場合であっても、その対象物を効率よく冷却することができる。その理由は、以下に述べる通りである。
【００５７】
即ち、サーバ装置１は、ブロックの構成に応じて、そのブロックを流れる空気の流れを変更することが可能な風向変更部２を備えるからである。即ち、風向変更部２は、ブロックの構成に応じて、そのブロックを流れる空気の流れを有効活用することができるからである。特に、お客さまからのニーズに応じて、装置構成が変更となるサーバ装置１では、適用して好適である。
【００５８】
＜第２の実施形態＞
次に、上述した本発明の第１の実施形態に係るサーバ装置１を基本とする第２の実施形態について説明する。以下の説明においては、本実施形態に係る特徴的な部分を中心に説明する。その際、上述した各実施形態と同様な構成については、同一の参照番号を付すことにより、重複する説明は省略する。
【００５９】
本発明の第２の実施形態におけるサーバ装置１０について、図６乃至図１１を参照して説明する。
【００６０】
図６は、本発明の第２の実施形態におけるサーバ装置１０の構成を示すブロック図である。
【００６１】
図６において、サーバ装置１０は、電子機器（対象物）、風向変更部２、制御部１１、管理部１２及びファンモジュール（冷却装置）１０３を備える。
【００６２】
制御部１１は、後述する管理部１２から得た温度情報に基づいて、ファンモジュール１０３の動作を制御する。また、制御部１１は、所定の時間周期毎に、ファンモジュール１０３を構成するファン１０７の回転数を記憶する。記憶した回転数に基づいて、制御部１１は、ファンモジュール１０３の交換が必要と判断した場合には、ファンモジュール１０３に関する情報を、ユーザが識別可能な態様によって提示する。
【００６３】
また、制御部１１は、自装置の装置構成を示す構成情報と、風向変更部２の配置位置を示す位置情報とに基づいて、風向変更部２を制御する。即ち、制御部１１は、当該構成情報と当該位置情報とに基づいて、電子機器を冷却可能なように、風向変更部２を、より最適な配置に変更する。
【００６４】
ここで、構成情報とは、例えば、サーバ装置１０を構成するブロックと、そのブロックを構成する電子機器とに関する情報を含む。また、位置情報は、ブロックに含まれる電子機器の構成毎に、予めシミュレーションを行うことによって求めた風向変更部２の配置位置を示す情報である。
【００６５】
より具体的に、例えば、位置情報は、当該構成毎に、サーバ装置１０内を流れる空気の流れと、その流れの方向とに基づきシミュレーションを行うことによって、求められた最適な風向をなす配置位置を示す情報を含む。
【００６６】
図７は、本発明の第２の実施形態における位置情報を具体的に例示する図である。図７において、位置情報は、サーバ装置１０において想定される電子機器の構成と、シミュレーションによって求めた風向変更部２の配置位置とが関連付けられた情報である。即ち、位置情報は、構成毎に、その構成と、求めた風向変更部２の回動方向と配置角度とが関連付けられた情報である。
【００６７】
より具体的に、１列目には、当該構成を表す情報を含む。２列目以降には、風向変更部２の配置位置を表す情報である。即ち、２列目以降は、サーバ装置１０に含まれる各風向変更部２の配置位置を表す情報である。また、例えば、４行目に示す「構成１」において、「第１の風向変更部２」を構成する変更部４の配置位置は、「−Ｘ方向に４５度」を表す。また、例えば、「第１の風向変更部２」を構成する変更部５の配置位置は、「＋Ｘ方向に４５度」を表す。例えば、変更部は、Ｚ方向を基準として、＋Ｘ方向または−Ｘ方向に４５度回動することを表すこととする。
【００６８】
管理部１２は、温度センサ１３を用いて電子機器の温度を検出する。即ち、管理部１２は、電子機器毎に、その電子機器の温度を検出する。管理部１２は、検出した温度に関する温度情報を管理する。
【００６９】
温度センサ１３は、電子機器の温度を測定可能な測定装置である。例えば、温度センサ１３は、電子機器毎に、それら電子機器に接触、または非接触に設けられている。また、温度センサ１３は、測定した電子機器の温度を、管理部１２に対して与える。
【００７０】
ファンモジュール１０３は、例えば、１つ以上のファン１０７を有する。また、ファンモジュール１０３は、ファン１０７を動作させることによって、例えば、外気をサーバ装置１０内に吸入する、或いは、サーバ装置１０内の空気を排出する。これによって、ファンモジュール１０３は、空気の流れを生じさせることができる。また、ファンモジュール１０３は、冷却対象である電子機器を冷却することができる。
【００７１】
尚、ファンモジュール１０３及び温度センサ１３の動作については、現在では一般的に知られている技術を採用することができるので本実施形態における詳細な説明は省略する。
【００７２】
上述した装置構成を有する本実施形態におけるサーバ装置１０の物理的な動作について、図７乃至図１１を参照してより具体的に説明する。
【００７３】
図８は、本発明の第２の実施形態におけるサーバ装置１０の構成と、そのサーバ装置１０を流れる空気の流れとを例示するブロック図である。図９は、本発明の第２の実施形態における風向変更部２によって、ブロック内を流れる空気の流れを変更する態様を例示する図である。
【００７４】
まず、以下の説明では、自装置の構成に応じて、風向変更部２における配置の変更を行う動作について、図７乃至図１０を参照して説明する。
【００７５】
図１０は、本発明の第２の実施形態におけるサーバ装置１０が自装置の構成に応じて、風向変更部２における配置の変更を行う動作を示すフローチャートである。係るフローチャートに沿ってサーバ装置１０の動作手順を説明する。
【００７６】
尚、一例として、以下の説明では、図８に示すように、第３ブロック及び第４ブロックには、電子機器が搭載されていないこととする。また、第１ブロックは、プロセッサ１０４、メモリ１０５−１及び１０５−２、Ｉ／Ｏカード１０６−１及び１０６−２が搭載されていることとする。第２ブロックは、メモリ１０５−３、Ｉ／Ｏカード１０６−３及び１０６−４が搭載されていることとする。以下の説明では、図８の矢印によって表すように、＋Ｚ方向から−Ｚ方向に向かって空気が流れることとする。また、以下の説明では、プロセッサ１０４を冷却可能なように、紙面上側に位置する風向変更部２は、変更部４だけで構成することとする。
【００７７】
説明の便宜上、上述した構成を例に説明するが、本実施形態を例に説明する本発明は、前述した構成には限定されない（以下の実施形態においても同様）。
【００７８】
制御部１１は、自装置（サーバ装置１０）の構成を表す構成情報と、予め求めた位置情報とに基づいて、冷却対象である電子機器を冷却可能なように、風向変更部２の配置位置を求める（ステップＳ１）。
【００７９】
より具体的に、制御部１１は、自装置の構成を表す構成情報に基づいて、図７に示す位置情報を参照する。制御部１１は、位置情報の中から自装置の構成に対応する風向変更部２の配置位置を取得する。即ち、制御部１１は、位置情報の中から自装置の構成に対応する風向変更部２の配置角度と回動方向とを取得する。
【００８０】
尚、構成情報及び位置情報は、制御部１１が保有していてもよいし、制御部１１と異なる他の装置から取得してもよい。但し、本実施形態を例に説明する本発明は、前述した構成には限定されない。
【００８１】
制御部１１は、求めた配置位置に基づいて、配置を変更するよう風向変更部２を制御する。即ち、制御部１１は、当該配置位置に基づいて、風向変更部２の配置を変更する（ステップＳ２）。
【００８２】
より具体的に、制御部１１は、求めた配置位置に基づいて、例えば、ステッピングモータを制御することによって、風向変更部２の動作を制御する構成を採用してもよい。これにより、ステッピングモータは、例えば、モータを駆動することによって、回転角度及び回転方向を制御する。その結果、ステッピングモータは、風向変更部２を所望する配置に変更することができる。
【００８３】
尚、風向変更部２をステッピングモータによって動作させる技術自体は、現在では一般的な技術を採用することができる。そのため、本実施形態における詳細な説明は省略する。
【００８４】
また、上述した本実施形態では、説明の便宜上、一例として、制御部１１は、構成情報と位置情報とに基づいて、最適な配置位置を求める構成を例に説明した。しかしながら本発明に係る実施形態は、係る構成に限定されない。制御部１１は、電子機器の温度を示す温度情報と、当該構成情報と、当該位置情報とに基づいて、最適な配置位置を求める構成を採用してもよい。その場合に、位置情報は、ブロックに含まれる電子機器の構成毎に、電子機器の温度と、サーバ装置１０内を流れる空気の流れと、その流れの方向とに基づきシミュレーションを行うことによって、最適な風向をなす配置位置を求めることによって実現することができる。
【００８５】
次に、以下の説明では、サーバ装置１０が温度情報に応じて、ファンモジュール１０３を制御する動作について、図８、図９及び図１１を参照して説明する。
【００８６】
図１１は、本発明の第２の実施形態におけるサーバ装置１０が温度情報に応じて、ファンモジュール１０３を制御する動作を示すフローチャートである。係るフローチャートに沿ってサーバ装置１０の動作手順を説明する。
【００８７】
管理部１２は、例えば、所定の時間周期毎に、温度センサ１３を用いて電子機器の温度を検出する。管理部１２は、検出した温度に関する温度情報を、制御部１１に対して与える（ステップＳ１１）。
【００８８】
制御部１１は、管理部１２から温度情報を受信する。制御部１１は、当該温度情報に基づいて、ファンモジュール１０３の動作を制御する。即ち、制御部１１は、当該温度情報に基づいて、ファンモジュール１０３を構成するファン１０７の回転数を制御するか否かを判別する（ステップＳ１２）。制御部１１は、ファン１０７の回転数を制御する必要があると判断した場合に、処理をステップＳ１３に進める（ステップＳ１２において「ＹＥＳ」）。一方で、制御部１１は、ファン１０７の回転数を制御する必要が無いと判断した場合には、処理をステップＳ１４に進める（ステップＳ１２において「ＮＯ」）。
【００８９】
制御部１１は、ファン１０７の回転数を制御する。即ち、例えば、制御部１１は、電子機器の温度が規定以上に高い場合に、回転数を上げるよう制御する。その一方で、制御部１１は、電子機器の温度が規定より低い場合には、回転数を下げるよう制御する（ステップＳ１３）。
【００９０】
制御部１１は、ファン１０７における回転数の累積数と所定の閾値（寿命回転数）とを比較する。即ち、制御部１１は、所定の時間周期毎に記憶した当該回転数の累積数と寿命回転数とを比較する（ステップＳ１４）。制御部１１は、当該累積数が所定の閾値を超えたと判断した場合に、処理をステップＳ１５へ進める（ステップＳ１４において「ＹＥＳ」）。その一方で、制御部１１は、当該累積数が所定の閾値を超えていないと判断した場合に、処理を終了する（ステップＳ１４において「ＮＯ」）。
【００９１】
制御部１１は、当該累積数が所定の閾値を超えたことを、ユーザが識別可能な態様によって提示する（ステップＳ１５）。
【００９２】
より具体的に、例えば、制御部１１は、ファンモジュール１０３の交換を促す情報や警告を、ディスプレイなどの表示部（不図示）にユーザが識別可能な態様によって提示してもよい。また、制御部１１は、当該交換を促す情報や警告を、ＬＥＤ（Ｌｉｇｈｔ  Ｅｍｉｔｔｉｎｇ  Ｄｉｏｄｅ）などを点灯することによりユーザが識別可能な態様によって提示してもよい。或いは、制御部１１は、当該交換を促す情報や警告を、音によってユーザが識別可能な態様によって提示してもよい。
【００９３】
また、制御部１１は、ファンモジュール１０３の交換を促す情報や警告だけでなく、ファン１０７の累積回転数などファンモジュール１０３に関する情報を提示してもよい。
【００９４】
尚、上述した本実施形態では、説明の便宜上、一例として、サーバ装置１０は、ファンモジュール１０３を備える構成を例に説明した。しかしながら本発明に係る実施形態は、係る構成に限定されない。サーバ装置１０とファンモジュール１０３とは、例えば、互いに別体に設けられた構成を採用してもよい。
【００９５】
また、上述した本実施形態では、説明の便宜上、一例として、制御部１１は、ファンモジュール１０３及び風向変更部２を制御し、ファンモジュール１０３に関する情報を提示する構成を例に説明した。しかしながら本発明に係る実施形態は、係る構成に限定されない。例えば、ファンモジュール１０３を制御するファン制御部、風向変更部２を制御する風向制御部、当該情報を提示する情報提示部などを設けることによって、それぞれの処理を実行する構成を採用してもよい。
【００９６】
上述した本実施形態では、説明の便宜上、一例として、ラック型に形成されたサーバ装置１０を例に説明した。しかしながら本発明に係る実施形態は、係る構成に限定されない。例えば、風向変更部２は、ブレードサーバやパーソナルコンピュータなどに適用してもよい。即ち、風向変更部２は、例えば、冷却すべき対象物を搭載可能な基台に適用してもよい。
【００９７】
このように本実施の形態に係るサーバ装置１０によれば、第１の実施形態において説明した効果を享受できると共に、さらに、より効率よく対象物を冷却することができる。
【００９８】
その理由は、サーバ装置１０は、電子機器の温度を検出する管理部１２と、ファンモジュール１０３及び風向変更部２を制御する制御部１１とを備えるからである。即ち、制御部１１は、ブロックの構成に応じて、風向変更部２を制御する。また、制御部１１は、管理部１２から得た温度情報に基づいて、ファン１０７の回転数を制御することができる。これによって、サーバ装置１０は、さらに、効率よく電子機器を冷却することができる。その結果、サーバ装置１０は、ファン１０７の回転数が増加することを抑制することができる。即ち、回転数が抑えられるため、サーバ装置１０は、ファンモジュール１０３の寿命を延ばすことができる。また、サーバ装置１０は、消費電力、ファン１０７が高速回転することによる騒音などを低減することができる。
【００９９】
そして、管理者は、ファンモジュール１０３の交換時期を、容易に知ることができる。その理由は、制御部１１は、ファンモジュール１０３の交換時期を提示することができるからである。
【０１００】
以上、実施形態を参照して本発明を説明してきたが、本発明は上記実施形態に限定されるものではない。本発明の構成や詳細には、本発明のスコープ内で当業者が理解しうる様々な変更をすることができる。
【産業上の利用可能性】
【０１０１】
本発明は、上述した各実施形態には限定されない。本発明は、一律の回転数によって電子機器を冷却する冷却装置を有したサーバ装置だけでなく、パーソナルコンピュータ、ＰＯＳ（ｐｏｉｎｔ  ｏｆ  ｓａｌｅｓ）システム、サーバ、複写機、複合機等の電子機器を搭載する各種の機器に適用可能である。
【符号の説明】
【０１０２】
１、１０、１０１、１０２    サーバ装置
２    風向変更部
３    側面
４、４−１乃至４−３、５、５−１乃至５−３    変更部
６    回動部
１１    制御部
１２    管理部
１０３    ファンモジュール
１０４    プロセッサ
１０５、１０５−１乃至１０５−３    メモリ
１０６、１０６−１乃至１０６−４    Ｉ／Ｏカード
１０７    ファン
３００    情報処理装置
３０１    ＣＰＵ
３０２    ＲＯＭ
３０３    ＲＡＭ
３０４    ハードディスク
３０５    通信インタフェース
３０６    バス
３０７    記録媒体
３０８    リーダライタ
【図１】
0006542543.tif 000002
【図２】
0006542543.tif 000003
【図３】
0006542543.tif 000004
【図４】
0006542543.tif 000005
【図５】
0006542543.tif 000006
【図６】
0006542543.tif 000007
【図７】
0006542543.tif 000008
【図８】
0006542543.tif 000009
【図９】
0006542543.tif 000010
【図１０】
0006542543.tif 000011
【図１１】
0006542543.tif 000012
【図１２】
0006542543.tif 000013
【図１３】
0006542543.tif 000014